(57)【要約】【課題】  携帯端末の筐体外表面に、種々の時計を簡便に取り付けできる化粧パネルを提供し、異種時計に対する装着性を向上させる。【解決手段】  携帯端末１１の筐体外表面に着脱自在に取り付けられる化粧パネル１００であって、面状の弾性部材からなり、かつ時計表示部１９の係止部２５と着脱自在に係合して時計表示部１９を保持する係止溝を形成した。面状部材２９には、時計表示部１９を嵌め込むための開口部を形成し、係止溝は開口部の周縁で、携帯端末１１の化粧パネル取付け面に対面して設けることが好ましい。【選択図】図１
2006157799.tif 000002
【特許請求の範囲】
【請求項１】
携帯端末の筐体外表面に着脱自在に取り付けられる化粧パネルであって、
面状の弾性部材からなり、かつ時計表示部の係止部と着脱自在に係合して前記時計表示部を保持する係止溝が形成されたことを特徴とする携帯端末の化粧パネル。
【請求項２】
前記時計表示部を嵌め込むための開口部が形成され、
前記係止溝が該開口部の周縁で前記携帯端末の化粧パネル取付け面に対面して設けられたことを特徴とする請求項１記載の化粧パネル。
【請求項３】
前記係止溝が、前記時計表示部のベルトを取り付けるための取り付け部に応じて前記開口部を挟んで一対設けられたことを特徴とする請求項２記載の化粧パネル。
【請求項４】
化粧パネル表面には、前記開口部を挟んで一端を前記係止溝のパネル表面側に位置させて延在する一対のベルト状凸部が形成されたことを特徴とする請求項３記載の化粧パネル。
【請求項５】
前記開口部に、前記時計表示部を覆う透視性の時計カバーが設けられたことを特徴とする請求項２から請求項４のいずれか１項記載の化粧パネル。
【請求項６】
透視性を有する材質からなることを特徴とする請求項１から請求項５のいずれか１項記載の化粧パネル。
【発明の詳細な説明】
【技術分野】
【０００１】
本発明は、携帯端末の筐体外表面に着脱自在に取り付けられる化粧パネルに関する。
【背景技術】
【０００２】
現在、第一の筐体と第二の筐体をヒンジにより開閉可能あるいはスライド可能に結合した折り畳み式携帯電話が広く知られている。多くの折り畳み式携帯電話は、筐体を閉じた状態において外側となる面に小型液晶表示部が設けられており、その液晶表示により、筐体を閉じた状態においても着信や時刻等の情報を知ることができる。
この構成により、小型液晶表示部に時刻を表示させ、腕時計を携帯せず、時刻を携帯端末によって確認するユーザーが増えている。そこで、筐体外表面に、指針表示時計を固定した特許文献１に開示される携帯端末（携帯情報機器）が提案されている。
【０００３】
図５に示すこの携帯情報機器１は、操作側筐体２に対し表示側筐体３が折り畳み式に開閉されるフリップ式の携帯情報機器１において、表示側筐体３の外側となる部分４に凹部５を形成し、この凹部５に指針表示時計６を嵌め込んで、当該指針表示時計６を固定具７で固定する。この携帯情報機器１によれば、指針表示時計６を採用することで、時刻の視認性を向上させると共に、より高級感やお酒落さを演出している。
【０００４】
【特許文献１】特開２００４−２２１８６３号公報（図１）
【発明の開示】
【発明が解決しようとする課題】
【０００５】
しかしながら、上記した従来の携帯端末は、筐体に凹部を形成するため、指針表示時計を嵌め込まない状態では、筐体の凹部がむきだしとなり、デザイン性に欠ける問題があった。このため、時計を嵌め込まずに軽い状態で携帯端末を持ち歩きたい場合には不便であった。
また、凹部を筐体に形成し、その周縁の係止部により固定するため、時計の大きさや形が限定されてしまう。このため、ユーザーが気に入っている腕時計のバンドを外して、携帯に取り付けることは実際には困難であった。
仮に所望の一つの時計が取り付けられても、種々の時計をその日の気分やファッション等に合わせて簡便に付け替えすることは不可能であった。
【０００６】
本発明は上記状況に鑑みてなされたもので、携帯端末の筐体外表面に、種々の時計を簡便に取り付けできる化粧パネルを提供し、異種時計に対する装着性の向上を図ることを目的とする。
【課題を解決するための手段】
【０００７】
上記目的を達成するための本発明に係る化粧パネルは、携帯端末の筐体外表面に着脱自在に取り付けられる化粧パネルであって、面状の弾性部材からなり、かつ時計表示部の係止部と着脱自在に係合して前記時計表示部を保持する係止溝が形成されたことを特徴とする。
【０００８】
この化粧パネルでは、係止溝に時計表示部の係止部が係止されることで、所望の時計表示部が係止溝を介して保持され、この化粧パネルが携帯端末に取り付けられることで、所望の時計表示部が携帯端末に対して簡便に着脱可能となる。また、材質に弾性部材が用いられていることで、時計表示部の形や係止部の大きさが異なるものであっても、化粧パネルが弾性変形されて、形状や係止部の大きさの差異が吸収され、異なる時計表示部に対しても一つの化粧パネルで柔軟に対応可能となる。
【０００９】
また、本発明に係る化粧パネルは、前記時計表示部を嵌め込むための開口部が形成され、前記係止溝が該開口部の周縁で前記携帯端末の化粧パネル取付け面に対面して設けられたことを特徴とする。
【００１０】
この化粧パネルでは、面状部材に形成された開口部に時計表示部が嵌入されることになり、開口部が設けられず面状部材上で時計表示部が保持される場合に比べ、化粧パネルを取り付けて時計表示部を保持させた際の携帯端末全体の厚みが小さく抑えられる。また、係止溝が携帯端末の化粧パネル取付け面に対面して設けられることで、携帯端末の化粧パネル取付け面が有効利用され、時計表示部の挟持構造が少ない部品で構成可能となる。
【００１１】
さらに、本発明に係る化粧パネルは、前記係止溝が、前記時計表示部のベルトを取り付けるための取り付け部に応じて前記開口部を挟んで一対設けられたことを特徴とする。
【００１２】
この化粧パネルでは、開口部を挟んで一対の係止溝が配置されることで、一対のベルトが取り付けられる一般的な指針表示時計を開口部に嵌入させ、この指針表示時計の係止部に係止溝を係止させる保持が可能となる。
【００１３】
そして、本発明に係る化粧パネルは、化粧パネル表面には、前記開口部を挟んで一端を前記係止溝のパネル表面側に位置させて延在する一対のベルト状凸部が形成されたことを特徴とする。
【００１４】
この化粧パネルでは、開口部に時計表示部が嵌入され、この時計表示部の係止部に係止溝が係止された状態で、それぞれの係止溝に対応してパネル表面側に延在するベルト状凸部の一端が位置するので、開口部に嵌入された時計表示部とベルト状凸部とが外観的に一体となり、化粧パネルが取り付けられていることの違和感がなくなる。これにより、携帯端末に時計表示部が直接的に取り付けられているように見え、デザイン性が高まる。
【００１５】
また、本発明に係る化粧パネルは、前記開口部に、前記時計表示部を覆う透視性の時計カバーが設けられたことを特徴とする。
【００１６】
この化粧パネルでは、開口部に嵌入保持された時計表示部が透視性の時計カバーによって覆われて保護され、時計表示部の表面に傷がつきにくくなる。
【００１７】
さらに、本発明に係る化粧パネルは、透視性を有する材質からなることを特徴とする。
【００１８】
この化粧パネルでは、化粧パネルを装着した状態においても、携帯端末の外部表示部を見ることが可能となる。この場合、化粧パネルは、面状部材を透明な材質で形成するのみならず、透明ではない材料を用いて網のように形成し、携帯端末の外部表示部を透視可能とするものであってもよい。
【発明の効果】
【００１９】
本発明に係る化粧パネルによれば、面状の弾性部材からなり、かつ時計表示部の係止部と着脱自在に係合して時計表示部を保持する係止溝を設けたので、係止溝を時計表示部の係止部に係止して、簡便にユーザーが好みの時計表示部を携帯端末に装着することが可能であり、特に、材質に弾性部材を用いたことによって、時計表示部の形や係止部の大きさが異なるものであっても柔軟に対応できる。
この結果、異種時計に対する装着性を向上させることができる。
【発明を実施するための最良の形態】
【００２０】
以下、本発明に係る化粧パネルの好適な実施の形態を図面を参照して説明する。
図１は本発明に係る化粧パネルの取り付けられた携帯端末の閉じた状態を表す斜視図である。
本実施の形態では、化粧パネル１００が折り畳み式の携帯端末１１に取り付けられる。携帯端末１１は、図示しない操作部を内側面に有する第１筺体１３と、表示部を一方の面である内側面に有する第２筺体１５とを、ヒンジ部１７によって開閉自在に連結したものである。ヒンジ部１７を中心にして、第１筺体１３と第２筺体１５とを相対的に回動させることにより開くことができる。
【００２１】
化粧パネル１００は、携帯端末１１を閉じた状態における第２筺体１５の外側面に取り付けられる。化粧パネル１００は、第２筺体１５の外周から外側に突出しないような大きさであり、例えば略矩形状に形成した面状の弾性部材からなる。この化粧パネル１００には、時計表示部１９が着脱可能に固定されている。時計表示部１９には文字板、針を有する例えば指針表示時計を用いることができる。本実施の形態では、時計表示部１９が装着された化粧パネル１００を第２筺体１５に固定する固定手段として、ネジ２１が用いられている。したがって、化粧パネル１００を取り外す際には、ネジ２１を全て外す必要がある。なお、固定手段は、ネジ２１に限定されるものではなく、止め具、フック、端末の筐体と化粧パネルにそれぞれ凹凸を設けて係合するものであってもよい。
【００２２】
図２は本発明に係る化粧パネルと閉じた状態の携帯端末とを表す側面分解図である。
時計表示部１９は、化粧パネル１００の背面側から装着される。時計表示部１９は、この化粧パネル１００がネジ２１によって第２筺体１５の外側面に固定されることで、携帯端末１１に着脱自在に取り付けられる。これにより、ユーザーの気分に応じて、好みの時計を携帯端末１１に装着できるようになっている。
【００２３】
図３は図２に示した時計表示部の正面図である。
時計表示部１９は時計本体ケース２３が円形状に形成され、その直径方向両端に、係止部２５を２箇所有している。なお、係止部２５は、一般的な腕時計において、ベルトを取り付けるための取り付け部であってもよい。すなわち、係止部２５は、時計本体ケース２３から突出した一対の支持突起２７ａ，２７ａの間に係止軸２７ｂを支持してなるものとできる。係止部２５は、係止軸２７ｂが図示しないベルト端部の軸挿通穴に挿通されることで、ベルトと係止状態となる。この場合、ユーザーが所有している腕時計のベルトを外すだけで、時計表示部１９として化粧パネル１００に利用することが可能となる。
【００２４】
図４は図２に示した化粧パネルの正面視を（Ａ）、背面視を（Ｂ）で表した外観図である。
化粧パネル１００は、面状部材２９を略矩形状に形成してなり、面状部材２９の上部には携帯端末１１のカメラ撮像部３１（図１参照）を回避する切欠部３３が形成される。面状部材２９の四隅にはネジ２１を挿通するネジ挿通孔３５が穿設されている。面状部材２９の下部側には時計表示部１９を嵌め込む開口部３７が形成されている。この開口部３７は、面状部材２９を表裏に貫通している。
【００２５】
また、開口部３７の周縁には２箇所の、時計表示部を固定するための係止溝３９を形成している。係止溝３９は、時計表示部１９の係止部２５（より具体的には係止軸２７ｂ）に係止し、時計表示部１９を保持する。係止溝３９は、開口部３７の周縁で、第２筺体１５の外側面（携帯端末の化粧パネル取付け面）４１（図２参照）に対面して設けられている。つまり、係止溝３９は、時計表示部１９のベルトを取り付けるための取り付け部に応じて、開口部３７を挟んで一対設けられている。
【００２６】
このように化粧パネル１００の背面側に係止溝３９を形成することで、時計表示部１９を携帯端末１１と化粧パネル１００との間に挟んで固定でき、時計表示部１９の落下を防ぐことができる。化粧パネル１００は、例えば弾性部材であるゴム素材やエラストマー素材で構成され、時計表示部１９を保持した際に弾性変形し、その復帰力により時計表示部１９を保持することが可能となっている。
【００２７】
したがって、化粧パネル１００は、面状部材に形成された開口部３７に時計表示部１９が嵌入されることになり、開口部３７が設けられず面状部材上で時計表示部１９が保持される場合に比べ、化粧パネル１００を取り付けて時計表示部１９を保持させた際の携帯端末全体の厚みが小さく抑えられる。また、係止溝３９が携帯端末１１の外側面４１に対面して設けられることで、携帯端末１１の外側面４１が有効利用され、時計表示部１９の挟持構造が少ない部品で構成可能となる。
【００２８】
また、開口部３７を挟んで一対の係止溝３９が配置されることで、一対のベルトが取り付けられる図３に示した一般的な指針表示時計を、開口部３７に嵌入させ、この指針表示時計の係止部２５に係止溝３９を係止させる保持構造が可能となる。
【００２９】
さらに、この化粧パネル１００の表面には、開口部３７を挟んで一端４３ａを係止溝３９のパネル表面側に位置させて延在する一対のベルト状凸部４３が形成されてもよい。このようなベルト状凸部４３を設けた化粧パネル１００によれば、開口部３７に時計表示部１９が嵌入され、この時計表示部１９の係止部２５に係止溝３９が係止された状態で、それぞれの係止溝３９に対応してパネル表面側に一対のベルト状凸部４３が位置するので、開口部３７に嵌入された時計表示部１９とベルト状凸部４３とが一体的となり、化粧パネル１００が取り付けられていることの違和感がなくなる。これにより、携帯端末１１に時計表示部１９が直接的に取り付けられているように見え、デザイン性が高められることになる。
【００３０】
上記の化粧パネル１００では、係止溝３９に時計表示部１９の係止部２５が係止されることで、所望の時計表示部１９が係止溝３９を介して保持され、この化粧パネル１００が携帯端末１１に取り付けられることで、所望の時計表示部１９が携帯端末１１に対して簡便に着脱可能となる。また、材質に弾性部材が用いられていることで、時計表示部１９の形や係止部の大きさが異なるものであっても、化粧パネル１００が弾性変形されて、形状や係止部の大きさの差異が吸収され、異なる時計表示部１９に対しても一つの化粧パネル１００で柔軟に対応可能となる。
【００３１】
したがって、化粧パネル１００によれば、簡便にユーザーが好みの時計表示部１９を携帯端末１１に装着することが可能であり、特に、材質に弾性部材を用いたことによって、時計表示部１９の形や係止部の大きさが異なるものであっても柔軟に対応できる。この結果、異種時計に対する装着性を向上させることができる。
【００３２】
なお、上記の実施の形態では、時計表示部１９が化粧パネル１００の開口部３７に嵌め込まれて、露出する構成を説明したが、化粧パネル１００は、開口部３７を覆う透視性の時計カバー（図示せず）を備えてもよい。この構成により、時計表示部表面の傷を防止でき、高価な時計を嵌め込む場合に有効となる。
【００３３】
また、化粧パネル１００は、面状部材２９が透視性を有する部材で形成されてもよい。この構成により、化粧パネル１００を装着した状態においても、携帯端末１１の外部表示部を見ることができる。また、化粧パネル１００と携帯端末１１の間に、好みの写真や化粧シートを挟んで、時計表示部１９のデザインとコーディネートすることもできるようになる。
【００３４】
また、上記したように、弾性部材からなる面状部材２９を、網状に形成すれば、弾性変形範囲が広がり、時計表示部１９のより大きなサイズ違いや形状違を吸収できるようになる。また、このような異形吸収機能を得る構成としては、網状構造以外に、例えば開口部３７の周縁に、同心円状に形成した複数の変形吸収溝を挙げることができる。さらに、上記したベルト状凸部４３は、背面に係止溝３９が配置されるので、時計表示部１９の保持強度を高める目的で、弾性部材からなる面状部材２９と異質の硬質部材によって形成してもよい。
【００３５】
なお、前述した実施の形態においては、携帯端末１１が折畳み式である場合を例に説明したが、本発明に係る化粧パネルの装着される携帯端末は、その他のスライド式やストレート式の携帯端末であっても勿論よい。
【産業上の利用可能性】
【００３６】
以上のように、本発明は、携帯端末に着脱可能となった化粧パネルに、さらに時計表示部を着脱可能に取り付けるので、ユーザーが好みの時計表示部を簡単に装着可能とする携帯端末および化粧パネル等に用いて極めて有用なものである。
【図面の簡単な説明】
【００３７】
【図１】本発明に係る化粧パネルの取り付けられた携帯端末の閉じた状態を表す斜視図である。
【図２】本発明に係る化粧パネルと閉じた状態の携帯端末とを表す側面分解図である。
【図３】図２に示した時計表示部の正面図である。
【図４】図２に示した化粧パネルの正面視を（Ａ）、背面視を（Ｂ）で表した外観図である。
【図５】従来の指針表示時計を固定した携帯端末の斜視図である。
【符号の説明】
【００３８】
１１  携帯端末
１９  時計表示部
２５  係止部
３７  開口部
３９  係止溝
４１  外側面（筐体外表面）
４３  ベルト状凸部
４３ａ  一端
１００  化粧パネル
【図１】
2006157799.tif 000003
【図２】
2006157799.tif 000004
【図３】
2006157799.tif 000005
【図４】
2006157799.tif 000006
【図５】
2006157799.tif 000007